(57)【要約】      （修正有）【課題】パーマ（パーマネントウェーブ）やヘアドライアーによる髪の毛のセットを容易に行うことのできるヘアセット用器具およびヘアセット方法を提供する。【解決手段】ヘアセット用器具２０は、所要複数本の髪の毛が入るだけの間隔のピッチを有する螺線状に形成されたコイル部材２２と、該コイル部材２２に挿通可能で、コイル部材２２に挿通された際、コイル部材２２との間で髪の毛を挟み込むことのできる芯体２４とを具備することを特徴とする。【選択図】図１
2010057907.tif 000002
【特許請求の範囲】
【請求項１】
所要複数本の髪の毛が入るだけの間隔のピッチを有する螺線状に形成されたコイル部材と、
該コイル部材に挿通可能で、コイル部材に挿通された際、コイル部材との間で髪の毛を挟み込むことのできる芯体とを具備することを特徴とするヘアセット用器具。
【請求項２】
前記コイル部材の螺旋部を横切るようにして線間を連結する連結部を有することを特徴とする請求項１記載のヘアセット用器具。
【請求項３】
前記連結部が、コイル部材の全長に亙って設けられていることを特徴とする請求項２記載のヘアセット用器具。
【請求項４】
前記コイル部材の両端部に、輪ゴムを係止できる係止部が設けられていることを特徴とする請求項１〜３いずれか１項記載のヘアセット用器具。
【請求項５】
前記連結部が線状をなす線状部材からなることを特徴とする請求項２〜４いずれか１項記載のヘアセット用器具。
【請求項６】
前記コイル部材に、螺旋の線間の空間の幅を前記線状部材に向けて次第に狭める規制部材が設けられていることを特徴とする請求項５記載のヘアセット用器具。
【請求項７】
前記連結部が、前記コイル部材の螺旋の線間に斜めに固定された線状部材からなることを特徴とする請求項５記載のヘアセット用器具。
【請求項８】
前記連結部が所要太さを有するロッドからなることを特徴とする請求項１〜４いずれか１項記載のヘアセット用器具。
【請求項９】
前記芯体が、周面に、髪の毛が導入可能な複数の溝を有することを特徴とする請求項１〜８いずれか１項記載のヘアセット用器具。
【請求項１０】
前記芯体がブラシ状をなすことを特徴とする請求項１〜９いずれか１項記載のヘアセット用器具。
【請求項１１】
前記コイル部材両端側の芯体挿入口を複数に仕切る仕切部が設けられ、該仕切部により仕切られる各空間内にそれぞれ前記芯体が挿入可能に設けられていることを特徴とする請求項１〜１０いずれか１項記載のヘアセット用器具。
【請求項１２】
前記芯体が前記コイル部材の軸線方向に移動可能に、かつ抜け止めされてコイル部材に挿入されていることを特徴とする請求項１〜１１いずれか１項記載のヘアセット用器具。
【請求項１３】
複数のリング体が、所要本数の髪の毛が入るだけの間隔のピッチをおいて、リング体を横切る連結部がリング体に固定されることによって連結されたリング部材と、該リング部材に挿通可能で、リング部材に挿通された際、リング部材の前記連結部との間で髪の毛を挟み込むことのできる芯体とを具備することを特徴とするヘアセット用器具。
【請求項１４】
請求項２〜１２いずれか１項記載のヘアセット用器具を用い、
コイル部材を髪の毛に当てがって、髪の毛を螺旋の間隔内に進入させる工程と、
しかる後、髪の毛をコイル部材との間で挟み込む状態となるように、芯体をコイル部材内に挿通する工程と、
コイル部材を、軸線を中心として回転させ、髪の毛を連結部を内側に巻き込むように曲げる工程と、
該曲げた髪の毛に所要の処理を施す工程とを具備することを特徴とするヘアセット方法。
【請求項１５】
請求項２〜１２いずれか１項記載のヘアセット用器具を用い、
コイル部材を髪の毛に当てがって、髪の毛を螺旋の間隔内に進入させる工程と、
しかる後、髪の毛をコイル部材との間で挟み込む状態となるように、芯体をコイル部材内に挿通する工程と、
コイル部材を、軸線を中心として回転させ、髪の毛を芯体を内側に巻き込むように曲げる工程と、
該曲げた髪の毛に所要の処理を施す工程とを具備することを特徴とするヘアセット方法。
【発明の詳細な説明】
【技術分野】
【０００１】
本発明は、パーマ（パーマネントウェーブ）やヘアドライアーによるセットなどの髪の毛のセットを容易に行うことのできるヘアセット用器具およびヘアセット方法に関する。
【背景技術】
【０００２】
通常、パーマは、図１７に示すような、直径約１０ｍｍほどのロッド１０を用い、図１８に示すように、所要厚さの髪の毛１２の外側に不織布等からなるペーパー１４を当てがい、図１９に示すように、髪の毛１２の内側にロッド１０を当てがい、ペーパー１４で髪の毛１２をばらけないように押さえつつ、ロッド１０を中心にして所用回数巻き込み、輪ゴム（図示せず）をロッド１０の両端に掛け渡してばらけないように保持した後、薬液処理を施してパーマをかけるようにしている（例えば特許文献１）。
また、ヘアドライアーによる髪のセットでは、通常ヘアカーラーと呼ばれる器具に髪を巻き付けた状態でドライアー掛けをして行うようにしている。
【先行技術文献】
【特許文献】
【０００３】
【特許文献１】特開２００５−２００３４８号公報
【発明の概要】
【発明が解決しようとする課題】
【０００４】
しかしながら上記従来のパーマ治具を用いるものでは、ロッド１０とペーパー１４を用いるものであるため、ロッド１０にペーパー１４と共に髪を巻き付ける作業が厄介で、労力と時間を要するという課題があった。
さらに、髪を種々の複雑なウェーブ状態にパーマ掛けしたりドライアーでセットしたりするのは容易でなく、塾練を要するという課題があった。
【０００５】
そこで、本発明は上記課題を解決すべくなされたものであり、その目的とするところは、パーマ（パーマネントウェーブ）やヘアドライアーによる髪の毛のセットを容易に行うことのできるヘアセット用器具およびヘアセット方法を提供することにある。
【課題を解決するための手段】
【０００６】
本発明に係るヘアセット用器具は、所要複数本の髪の毛が入るだけの間隔のピッチを有する螺線状に形成されたコイル部材と、該コイル部材に挿通可能で、コイル部材に挿通された際、コイル部材との間で髪の毛を挟み込むことのできる芯体とを具備することを特徴とする。
前記コイル部材の螺旋部を横切るようにして線間を連結する連結部を設けると好適である。
【０００７】
また、本発明に係るヘアセット方法は、上記ヘアセット用器具を用いるヘアセット方法であって、コイル部材を髪の毛に当てがって、髪の毛を螺旋の間隔内に進入させる工程と、しかる後、髪の毛をコイル部材との間で挟み込む状態となるように、芯体をコイル部材内に挿通する工程と、コイル部材を、軸線を中心として回転させ、髪の毛を連結部を内側に巻き込むようにして曲げる工程と、該曲げた髪の毛に所要の処理を施す工程とを具備することを特徴とする。
【０００８】
またさらに本発明に係るヘアセット方法は、上記ヘアセット用器具を用いるヘアセット方法であって、コイル部材を髪の毛に当てがって、髪の毛を螺旋の間隔内に進入させる工程と、しかる後、髪の毛をコイル部材との間で挟み込む状態となるように、芯体をコイル部材内に挿通する工程と、コイル部材を、軸線を中心として回転させ、髪の毛を芯体を内側に巻き込むようにして曲げる工程と、該曲げた髪の毛に所要の処理を施す工程とを具備することを特徴とする。
【発明の効果】
【０００９】
本発明によれば、コイル部材に髪を絡ませ、芯体でその状態を保持して、パーマもしくはドライアー掛けを行えばよいので、パーマ（パーマネントウェーブ）やヘアドライアーによる髪の毛のセットを容易に行うことができる。
【図面の簡単な説明】
【００１０】
【図１】コイル部材と芯体の説明図紙片の説明図である。
【図２】コイル部材の他の実施の形態を示す説明図である。
【図３】コイル部材のさらにたの実施の形態を示す説明図である。
【図４】コイル部材のまたさらに他の実施の形態を示す説明図である。
【図５】第１のパーマ方法の手順を示す説明図である。
【図６】第２のパーマ方法の手順を示す説明図である。
【図７】かけられたパーマのカールの状態の一例を示す説明図である。
【図８】コイル部材を連続的に装着した状態を示す説明図である。
【図９】コイル部材に規制部材を取り付けた例を示す説明図である。
【図１０】連結部の両側に規制部材を取り付けた例を示す説明図である。
【図１１】線状部材をコイル部材の螺旋部に対して斜めに取り付けた例を示す説明図である。
【図１２】連結部として所要太さを有するロッドを用いた例を示す説明図である。
【図１３】連結部のロッドにコイル部材の一部を埋没した状態で設けた例を示す説明図である。
【図１４】外周に溝を設けた芯体の例を示す説明図である。
【図１５】コイル部材の両端に複数の芯体挿入孔を有する仕切部を設けた例を示す説明図である。
【図１６】芯体をコイル部材に移動可能に連結した例を示す説明図である。
【図１７】従来のパーマ治具であるロッドの説明図である。
【図１８】ペーパーを髪の毛に当てがった状態の説明図である。
【図１９】ロッドとペーパーと共に髪の毛を巻き込んだ状態の説明図である。
【発明を実施するための形態】
【００１１】
以下、本発明の実施の形態を添付図面に基づいて詳細に説明する。
図１はヘアセット用器具２０の説明図である。
以下では、パーマ用器具２０として説明する。
パーマ用器具２０は、所要複数本（多数本）の髪の毛が入るだけの間隔のピッチを有する螺線状に形成されたコイル部材２２と、コイル部材２２に挿通可能で、コイル部材に挿通された際、コイル部材２２との間で髪の毛を挟み込むことのできる芯体２４とを具備する。
【００１２】
また、コイル部材２２の螺旋部を横切るようにして線間を連結する連結部２６を設けると好適である。本実施の形態では、連結部として線状の線状部材２６を用いた。
コイル部材２２および線状部材２６を共に金属線で形成し、コイル部材２２に線状部材２６を溶接して固定することによって、容易に両者を連結できる。
図１では、線状部材２６は、コイル部材２２の軸線と平行になるようにコイル部材２２に固定しているが、線状部材２６をコイル部材２２の軸線に対して若干傾斜するようにしてコイル部材２２に固定してもよい。
コイル部材２２の大きさは、取扱上、直径１０ｍｍ程度とするのがよいが、５〜２５ｍｍ程度の任意の直径のものとすることができる。また螺旋のピッチも特に限定されるものではない。
なお、コイル部材２２や線状部材２６の材料は金属に限らないことはもちろんである。
【００１３】
コイル部材２２の両端には、筒状をなす係止部２８が取り付けられている。係止部２８の外側端面には、凸部２８ａが形成され、この両端の係止部２８の凸部２８ａ間に輪ゴム（図示せず）を掛け渡せるようになっている。
係止部２８も例えば金属で形成することによって、螺線体に溶接して固定することができる。あるいは、係止部２８は樹脂等で形成し、適宜接着剤を用いてコイル部材２２に固定するようにすることもできる。
【００１４】
前記線状部材２６は、コイル部材２２にコイル部材２２の全長に亙って設けられている。
あるいは、線状部材２６は、図２に示すように、螺線のピッチの１つ置き等に、あるいは、図３に示すように、コイル部材２２のほぼ半分に亙って設けるなど、コイル部材２２に部分的に設けてもよい。
【００１５】
また、図１に示すように、芯体２４の先端は、コイル部材２２に挿通しやすいように、芯体２４の軸線に対して斜めに傾斜する傾斜面２４ａに形成すると好適であるがこれに限定されない。
図４は、パーマ用器具２０の他の実施の形態を示す正面図である。
本実施の形態では、多数のリング体３０が、多数本の髪の毛が入るだけの間隔のピッチをおいて、リング体３０を横切る線状部材２６がリング体３０に固定されることによって連結されて形成されている。
【００１６】
パーマ用器具２０は上記のように形成されている。
次に、上記パーマ用器具２０を用いるパーマ方法について説明する。
〔第１の方法〕
図５に基づいて第１のパーマ方法について説明する。
まず、図５（Ａ）に示すように、コイル部材２２を、線状部材２６を下方側にして、髪の毛３２の下方側から髪の毛３２に当てがって、髪の毛３２を螺旋の間隔内に進入させる。その際、髪の毛３２は各螺旋のピッチ間に自然に区分けされて進入するので、後工程で髪の毛３２を均一厚さで曲げることができる。なお、３４は頭皮である。
次いで、櫛の細い柄（図示せず）等を利用して、柄を髪の毛３２と螺線部との間に挿入し、髪の毛３２を線状部材２６方向に寄せるようにするとよい（図５（Ｂ））。これにより、芯体２４を挿通しやすくなる。
【００１７】
しかる後、髪の毛３２をコイル部材２２の螺旋部との間で挟み込む状態となるように、芯体２４をコイル部材２２内に挿通する（図５（Ｃ））。
この状態で、図５（Ｄ）に示すように、必要に応じてコイル部材２２を髪の毛３２の長さ方向の適宜位置に移動させる。髪の毛３２の根元側を曲げたいときは根元側に、髪の毛３２の中途部を曲げたいときは、当該曲げたい部位にコイル部材２２を滑らせるようにして移動させる。
【００１８】
次いで、図５（Ｅ）に示すように、コイル部材２２を、軸線を中心として回転させ、芯体２４により規制しつつ髪の毛３２を線状部材２６を内側に巻き込むようにして曲げる。
さらに必要に応じて、図５（Ｆ）に示すように、芯体２４によって髪の毛３２を線状部材２６の周りにさらに巻き込むようにする。
そして、この曲げた状態を保持するように、両係止体２８の凸部２８ａ間に輪ゴム３４を掛け渡す。なお、係止体２８を設けないコイル部材２２の場合には、コイル部材２２の両端側に突出する芯体２４に輪ゴム３４を掛け渡すようにしてもよい。
上記の状態で、公知の薬液処理を施すことによってパーマをかけることができる。
なお、ドライアー掛けをする場合には、髪の毛を上記のようにセットした状態でドライアー掛けをすることはもちろんである。
【００１９】
本実施の形態では、例えば直径１ｍｍの線状部材２６を内側に巻き込むようにして髪の毛３２を曲げ、あるいはカールさせることができるので、小さな曲率半径で髪の毛３２を強く曲げることができる。例えば、男性の５ｃｍ前後の短い髪の毛であっても、根元部のみに、あるいは髪の中間部分のみに曲げやカールを容易に施すことができる。
本実施の形態では、髪の毛３２が、コイル部材２２の螺線の間隔内に進入するので、髪の毛３２の根元部での曲げも容易に行うことができる。
なお、上記では、髪の毛３２に対して下側からコイル部材２２を当てがったが、場所によっては髪の毛３２に対してコイル部材２２を上側から当てがってもよいことはもちろんである。要は、本実施の形態では、線状部材２６を内側に巻き込むようにして髪の毛３２を曲げるのである。
【００２０】
なお、図１７に示す従来のパーマ用治具を用いるものでは、ロッド１０を用いるものであるため、髪の毛１２の毛先の部分から巻き込むようにせざるを得ないので、髪の毛１２の根元部分や中間部分のみに曲げやカールを施すようなパーマをかけるには不具合がある。根元部を曲げるとなると、毛先から根元まで全部巻き込まねばならず、ボリューム感が出すぎてしまう。また、所要太さのロッド１０を用いるため、例えば男性の髪のような、５ｃｍ前後の短い髪に曲げやカールを施すとなるとボリューム感をおさえたパーマは行い難いものであった。
【００２１】
〔第２の方法〕
図６に基づいて第２のパーマ方法について説明する。
まず、コイル部材２２を、線状部材２６を上方側にして、髪の毛３２の上方側から髪の毛３２に当てがって、髪の毛３２を螺旋の間隔内に進入させる（図６（Ａ））。その際、髪の毛３２は各螺旋のピッチ間に自然に区分けされて進入するので、後工程で髪の毛３２を均一厚さで曲げることができる。
次いで櫛の細い柄等を利用して、髪の毛３２を線状部材２６側に寄せておいて（図示せず）、図６（Ｂ）に示すように、髪の毛３２をコイル部材２２の螺旋部との間で挟み込む状態となるように、芯体２４をコイル部材２２内に挿通する。
【００２２】
この状態で、図６（Ｃ）に示すように、必要に応じてコイル部材２２を髪の毛３２の長さ方向の適宜位置に移動させる。髪の毛３２の根元側を曲げたいときは根元側に、髪の毛３２の中途部を曲げたいときは、当該曲げたい部位にコイル部材２２を滑らせるようにして移動させる。
次いで、図６（Ｄ）に示すように、コイル部材２２を、軸線を中心として回転させ、線状部材２６により髪の毛３２を芯体２４を内側に巻き込むようにして曲げる。
【００２３】
さらに必要に応じて、図６（Ｅ）に示すように、線状部材２６によって髪の毛３２を芯体２４の周りにさらに巻き込むようにする。
そして、この曲げた状態を保持するように、両係止体２８の凸部２８ａ間に輪ゴム３４を掛け渡す。なお、係止体２８を設けないコイル部材２２の場合には、コイル部材２２の両端側に突出する芯体２４に輪ゴム３４を掛け渡すようにしてもよい。
上記の状態で、公知の薬液処理を施すことによってパーマをかけることができる。
なお、パーマでなく、ドライアー掛けをする場合には、髪の毛を上記のようにセットした状態でドライアー掛けをすることはもちろんである。
【００２４】
本実施の形態では、芯体２４の直径の大きさで髪の毛３２を曲げ、あるいはカールさせることができるので、第１の方法よりは大きな曲率半径で髪の毛３２を曲げることができる。
本実施の形態でも、髪の毛３２が、コイル部材２２の螺線の間隔内に進入するので、髪の毛３２の根元部での曲げも容易に行えることが理解できよう。
なお、上記では、髪の毛３２に対して上側からコイル部材２２を当てがったが、場所によっては髪の毛３２に対してコイル部材２２を下側から当てがってもよいことはもちろんである。要は、本実施の形態では、芯体２４を内側に巻き込むようにして髪の毛３２を曲げるのである。
【００２５】
図４に示すヘアセット用器具２０を用いても上記と同様のパーマ方法あるいはドライアーによる髪のセット方法を実施できる。この場合、髪の毛をリング体３０の間に入るようにして区分けするとともに、芯体２４を挿入して、芯体２４と線状部材（連結部）２６との間で髪の毛を挟み込むようにするのである。
また、図２に示すように、螺線のピッチの１つ置きに線状部材２６を設けたコイル部材２２を用いれば、線状部材２６を設けた部位で髪の毛を強く曲げられるから、図７に示すように、強いＳ字のカールと弱いＳ字のカールとが交互に現れる、変化性のあるパーマをかけることができる。図３のコイル部材２２を用いる場合も、強いＳ字のカールと弱いＳ字のカールとの部位を形成することができる。
【００２６】
また、上記では、線状部材２６を有するコイル部材２２と、芯体２４と、輪ゴム３４とからなるヘアセット用器具を用いた例で説明したが、線状部材（連結部）２６の無い単なる螺線状のコイル部材２２と芯体２４とからなるヘアセット用器具を用いてパーマ等をかけることもできる。
すなわち、図８に示すように、短い髪の毛３２の根元部のみを連続して曲げる場合に、まず、図８（Ａ）に示すように、第１群の髪の毛３２ａの根元部にコイル部材２２を当てがい、コイル部材２２内に髪の毛３２ａを進入させ、適宜コイル部材２２を軸線を中心として回転させる。次いで、芯体２４をコイル部材２２内に挿入して第１群の髪の毛３２ａを曲げる。髪の毛３２ａは、コイル部材２２の螺線が連続しているから、芯体２４と螺線部との間に挟まれて、曲げ状態を維持する。
【００２７】
次いで、図８（Ｂ）に示すように、２番目のコイル部材２２により、第１群の髪の毛３２ａの毛先側と共に、第２群の髪の毛３２ｂにコイル部材２２を当てがい、髪の毛をコイル部材２２内に進入させ、適宜コイル部材２２を軸線を中心として回転させる。次いで、芯体２４をコイル部材２２内に挿入して第２群の髪の毛３２ｂを曲げる。髪の毛３２ｂは、コイル部材２２の螺線が連続しているから、芯体２４と螺線部との間に挟まれて、曲げ状態を維持する。また、第１群の髪の毛３２ａの毛先側もこの２番目のコイル部材２２に保持されている。したがって、輪ゴムを用いることなく、曲げ状態を維持できる。また、コイル部材２２として線状部材２６を有しないものも用いることができる。
【００２８】
なお、複数のコイル部材２２を上記のように連続して用いた場合で、最後のコイル部材２２の部分で、髪の毛が浮き上がったりする場合は、輪ゴムで曲げ状態を維持するようにするとよい。
【００２９】
図９はコイル部材２２の他の実施の形態を示す説明図である。
本実施の形態では、コイル部材２２に、螺旋の線間の空間の幅ｍを線状部材２６に向けて次第に狭める（幅ｎ）三角形状の規制部材３６を設けている。これにより、該空間内に進入した多数本の髪の毛を、コイル部材２２を所要方向に回転させることによって、狭い空間側に寄せ集め、整列させた状態でカールさせることができる。
図１０は規制部材３６を線状部材２６の両側に位置するように設けた例を示す。これにより、コイル部材２２をどちらの方向に回転させても髪の毛を整列させることができる。
なお、規制部材３６は、溶接や接着剤による接着によって、コイル部材２２や線状部材２６に固定することができる。
【００３０】
図１１は、線状部材２６を、コイル部材２２の螺旋の線間に斜めに固定して設けた実施の形態を示す。図１１では、わかりやすくするために線状部材２６は２つのみ図示しているが、適宜複数個設ければよい。この実施の形態では、線状部材２６そのものによって、コイル部材２２の螺旋の線間の幅を調整しており、図９、図１０の場合と同様に、コイル部材２２を所要の方向に回転することによって、髪の毛を所要の束状に整列させることができる。線状部材２６は溶接によってコイル部材２２に固定することができる。
【００３１】
連結部２６は、上記各実施の形態のように、細い線状のもの（線状部材）でなくともよい。
図１２に示す実施の形態では、連結部として所要太さを有するロッド３７を用いている。また、図１３に示す実施の形態では、コイル部材２２の径方向の一部がロッド３７に埋没している状態に設けている。図１２、図１３に示すものでも、コイル部材２２に芯体（図示せず）を挿入することによって、上記各実施の形態と同様にしてパーマ掛けやドライアー掛けのヘアセットを行うことができる。
【００３２】
次に、芯体２４は円柱状のものには限定されない。例えば、断面が楕円形や多角形のもの、あるいは断面が十字状をなすものなど種々の形状のものを用途に応じて用いることができる。あるいは芯体２４として、ブラシ状のものも用いることができる。
また、芯体２４として、図１４に示すように、周面に溝３８を有する棒状のものを用いてもよい。この溝３８を有する芯体２４の場合には、溝３８内にも髪の毛が導入されることから、芯体２４をコイル部材２２内の任意の位置に移動させて、上記と同様にして髪の毛をコイル部材２２に巻き付けることによって、髪の毛を種々の複雑な形状に曲折させることができ、顧客の要望に好適に対応可能となる。
【００３３】
図１５はコイル部材２２のさらに別の実施の形態を示す説明図である。本実施の形態では、コイル部材２２両端側に、両端側の芯体挿入口をそれぞれ複数に仕切る仕切部４０が設けられ、該仕切部４０により仕切られる各空間内にそれぞれ芯体２４を挿入可能に設けている。
本実施の形態では、仕切部４０として、円板に４つの芯体挿入孔（空間）４０ａ、４０ｂ、４０ｃ、４０ｄを設けている。２つの仕切部４０、４０の各対応する芯体挿入孔４０ａ、４０ｂ、４０ｃ、４０ｄに芯体２４を橋渡し状に挿入可能となっている。各芯体挿入孔４０ａ〜４０ｄは芯体２４よりも十分大きな孔とし、芯体２４を孔内で径方向に動かすことによって、芯体２４とコイル部材２２とで髪の毛を挟み込むことができるようになっている。
【００３４】
本実施の形態では、コイル部材２２を髪の毛に当てがい、そして、芯体挿入孔４０ａ、４０ａに橋渡し状に芯体２４を挿入して、前記と同様にして髪の毛を曲折させるセッティング作業をし、次いで髪の毛に対してコイル部材２２を横方向に少しずらすなどした状態で、芯体挿入孔４０ｂ、４０ｂを用いて２回目の髪の毛セッティング作業をするなどして、最大４回の髪の毛を曲折させるセッティングを行うことができる。したがって、より複雑に髪の毛を曲折でき、ドレットヘアーなど、顧客の要望に応じた複雑な髪のセットが行える。
なお、本実施の形態では、連結部２６は必ずしも設けなくともよい。
また、芯体挿入孔も４つに限られず、適宜複数個とすればよい。
【００３５】
図１６はヘアセット用器具２０のさらに他の実施の形態を示す説明図である。
本実施の形態では、芯体２４がコイル部材２２に対して、コイル部材２２に全部が挿入される位置（図１６の実線位置）と、図１６において、右方に移動され、一端に設けた大径部２４ａが係止部２８に係止することによってコイル部材２２から抜け止めされる位置との間に亙って移動可能に設けられている。
また、芯体２４には、軸４２を中心に回動する把持部４４が設けられている。
【００３６】
本実施の形態では、コイル部材２２と芯体２４とが外れないよう（一体）になっているので、使用者自らが髪のセット作業を行うことができる。
すなわち、芯体２４をコイル部材２２から右方に一部引き出した状態で、把持部４４を把持して、コイル部材２２を髪の毛に当てがい、髪の毛をコイル部材２２の螺旋部に導入し、次いで、芯体２４をコイル部材２２内に挿入し、芯体２４とコイル部材２２とで髪の毛を挟み、次いでコイル部材２２を回転させて、前記と同様に髪の毛を曲折させた状態でドライアー掛けなどをして髪の毛をセットするようにすることができる。
【符号の説明】
【００３７】
２０  ヘアセット用器具
２２  コイル部材
２４  芯体
２６  連結部（線状部材）
２８  係止部
３０  リング体
３２  髪の毛
３４  輪ゴム
３６  規制部材
３７  ロッド
３８  溝
４０  仕切部
４０ａ〜４０ｄ  芯体挿入孔
４２  軸
４４  把持部
【図２】
2010057907.tif 000003
【図３】
2010057907.tif 000004
【図４】
2010057907.tif 000005
【図５】
2010057907.tif 000006
【図６】
2010057907.tif 000007
【図７】
2010057907.tif 000008
【図８】
2010057907.tif 000009
【図９】
2010057907.tif 000010
【図１０】
2010057907.tif 000011
【図１１】
2010057907.tif 000012
【図１４】
2010057907.tif 000013
【図１５】
2010057907.tif 000014
【図１６】
2010057907.tif 000015
【図１７】
2010057907.tif 000016
【図１８】
2010057907.tif 000017
【図１９】
2010057907.tif 000018
【図１】
2010057907.tif 000019
【図１２】
2010057907.tif 000020
【図１３】
2010057907.tif 000021